(57)【要約】【課題】走行中の自動車等からの視認性を向上させて傘の使用者の安全性を確保することができる傘を提供する。【解決手段】軸杆１と、軸杆１の一端部側に取り付けた傘骨部２と、この傘骨部の親骨２１に張設した傘布部３とを有する傘において、傘布部３の外面における中心部に再帰性反射シート材よりなる第１の反射材４を取り付けると共に傘布部の外面及び内面の任意の部位に再帰性反射シート材よりなる第２の反射材５及び第３の反射材６を任意数取り付ける。【選択図】図１
0003114430.tif 000002
【実用新案登録請求の範囲】
【請求項１】
軸杆と、この軸杆の一端部側に取り付けた傘骨部と、この傘骨部の親骨に張設された傘布部とを有する傘において、
前記傘布部の外面における中心部に取り付けた第１の反射材と、前記傘布部の外面の任意の部位に任意数取り付けた第２の反射材、及び前記傘布部の内面の任意の部位に任意数取り付けた第３の反射材とを備えていることを特徴とする、傘。
【請求項２】
第２及び第３の反射材は各親骨の先端部近くに位置させて取り付けてあることを特徴とする、請求項１に記載の傘。
【請求項３】
第２及び第３の反射材は傘布部の外周縁部に沿わせて取り付けあることを特徴とする、請求項１に記載の傘。
【請求項４】
第２及び第３の反射材は各親骨間における傘布部の外周縁部近くに位置させて任意数取り付けてあることを特徴とする、請求項１に記載の傘。
【請求項５】
軸杆の他端に設けた握り部の外周面に取り付けた第４の反射材をさらに備えていることを特徴とする、請求項１ないし４のいずれか１項に記載の傘。
【請求項６】
第１ないし第４の各反射材は再帰性反射シート材又は再帰性反射クロス材で構成されていることを特徴とする、請求項１ないし５のいずれか１項に記載の傘。
【考案の詳細な説明】
【技術分野】
【０００１】
本考案は傘に関し、さらに詳しくは雨天の夕暮れや夜間等において、走行中の自動車等から容易に視認し得るようにした傘に関するものである。
【背景技術】
【０００２】
夕暮れや夜間等においては、傘をさした走行者や自転車の操縦者は自動車等のドライバーにとって視認しにくい。特に雨が大量に降っているときなどはヘッドライトの光によっても見えにくい。また、交差点などでは横断歩道でも歩行者等の横切る角度によって見えにくいこともある。
したがって、上記のような場合、特に自動車等のドライバーにとっては交通事故につながるので、細心の注意をしながら運転する必要がある。一方、傘をさしている歩行者等にとっては、自動車事故に遭遇する危険性がある。
【０００３】
そこで、上記問題を解消する目的で、傘布部の外面における周縁部の一部又は全部に光反射材を取り付けた傘（例えば、特許文献１参照）、或いは傘布部の外面に反射材（再帰性反射シート）を取り付けた傘（例えば、特許文献２参照）が提案されている。これらの傘によれば、自動車等のヘッドライトを照射されると反射材が反射するので、自動車等のドライバーは傘をさした歩行者や自転車の操縦者を容易に視認することができる。
【０００４】
しかるに、上述した傘によっても次のような問題点が残されている。即ち、雨天において風が吹いているときは、雨を除けるために傘を風向きの方向へ傾けてさす場合が多く見受けられる。例えば、向かい風のときは傘を前方へ傾け、また、追い風のときは傘を後方へ傾けてさす。ところで、前記反射材は光の照射を受けて反射するものであるが、上述した従来例の傘は傘布部の外面に反射材を取り付けてあるため、傘の内面側にライトを受けても反射しない。
したがって、例えば、傘を前方側へ傾けてさしている場合においては、この歩行者等の後方を走行中の自動車等のドライバーはライトによって反射材が反射しないので、歩行者等に気付かない場合が生じる。また、逆に傘を後方側へ傾けてさしている場合には、この歩行者等の傘は対向車のライトを受けても反射しないので、対向車のドライバーは歩行者等を視認できない場合が生じる。
【特許文献１】登録実用新案第３１０９００６号公報
【特許文献２】実開平５−４８７１１号公報
【考案の開示】
【考案が解決しようとする課題】
【０００５】
本考案は上記のような実情に鑑み、走行中の自動車等からの視認性を向上させて傘の使用者の安全性を確保することができる傘を提供することを目的とするものである。
【課題を解決するための手段】
【０００６】
上記目的を達成するため、本考案は軸杆と、この軸杆の一端部側に取り付けた傘骨部と、この傘骨部の親骨に張設された傘布部とを有する傘において、前記傘布部の外面における中心部に取り付けた第１の反射材と、前記傘布部の外面の任意の部位に任意数取り付けた第２の反射材、及び前記傘布部の内面の任意の部位に任意数取り付けた第３の反射材とを備えていることを特徴とする。
本考案の傘は、その種類は特に限定するものではなく、洋傘，折り畳み傘、或いは和傘を含む。また、この明細書において「傘布部」は、その素材は特に限定するものではなく、例えば各種繊維で織成された生地、ビニールその他のプラスチックフィルムやプラスチックシート材、或いは紙材で構成したものを含む。
【０００７】
上記のように構成すると、傘布部の外側面に自動車等のヘッドライト等の光を照射されると、第１及び第２の反射材が反射し、また、内側面に光を照射されると第３の反射材が反射する。これにより、走行中の自動車等からの視認性を向上させ、遠方からでも容易に確認できるので傘の使用者の安全性を確保することができる。
【０００８】
本考案において、第２及び第３の反射材は傘骨部の各親骨の先端部近くに位置させて取り付ける構成を採用することができる。
【０００９】
また、本考案において、第２及び第３の反射材は傘布部の外周縁部に沿わせて取り付ける構成を採用することができる。さらにまた、第２及び第３の反射材は各親骨間における傘布部の外周縁部近くに位置させて任意数取り付ける構成を採用することもできる。
【００１０】
本考案において、軸杆の他端に設けた握り部の外周面に取り付けた第４の反射材をさらに備える構成を採用することができる。この構成を採用すると、傘の使用者の視認性がさらに向上する。
【００１１】
本考案において、第１ないし第４の各反射材は再帰性反射シート材又は再帰性反射クロス材で構成することができる。
【考案の効果】
【００１２】
本考案によれば、雨中を通行する歩行者や自転車操縦者がさしている傘を走行中の自動車等のドライバーが遠方から容易に確認できるので、交通事故の発生を防止し、傘の使用者の安全性を確保することができる。
【考案を実施するための最良の形態】
【００１３】
以下、図面を参照して本考案の傘の実施の形態の一例を説明する。
【００１４】
図１は本考案の傘の一実施の形態を示すもので、同図（ａ）は傘を開いた状態の側面図、同図（ｂ）は同じく平面図、同図（ｃ）は同じく底面図、図２は同上傘に取り付ける第１の反射材を示す斜視図（ａ）及び前記反射材の取り付け作業工程を示す説明図（ｂ）、図３は同上傘の第２及び第３の反射材の取付部分を拡大して示す説明図（ａ）及び同上反射材を示す説明図（ｂ）である。
【００１５】
上記図１ないし図３において、この実施の形態（実施の形態１）の傘は、軸杆１と、この軸杆１の一端部側に取り付けた傘骨部２と、この傘骨部２に張設した傘布部３とを有している。
【００１６】
前記軸杆１の一端（下端）には握り部１１が設けてあると共に他端（先端）には石突１２が設けてある。前記傘骨部２は複数本の親骨２１（梁骨）及び支持骨（受骨）等からなり、傘布部３は親骨２１上に張設されている。
【００１７】
前記傘は、傘布部３の外面における中心部（傘の頂部）に取り付けた第１の反射材４と、傘布部３の外面の任意の部位に任意数取り付けた第２の反射材５、及び傘布部３の内面の任意に部位に任意数取り付けた第３の反射材６とを備えている。また、実施の形態１では、握り部１１の外周面に取り付けた第４の反射材７を備えている。
【００１８】
前記第１ないし第４の各反射材４，５，６及び７は再帰性反射シート材や再帰性反射クロス材（例えば商品名、スリーエム或いはリフレクサイト、いずれも登録商標）で構成されている。前記各反射材４…７は無着色のもの（一般に白色と称している）と黄色系，赤色系，銀色系その他の色に着色したものがあり、任意に選択して採用する。なお、反射材４…７を構成する再帰性反射シート材や再帰性反射クロス材は高光度のものを採用する。
【００１９】
第１の反射材４は所望の大きさ及び形状（図示では円形）に形成した再帰性反射シート材４１の中心に石突１２に対応する挿入孔４２を設けて構成されている。そして、前記シート材４１の表面側を外側に向け、前記孔４２に石突１２を貫通し、前記シート材４１を縫着、アイロンや高周波ウェルダー等による溶着、或いは接着（又は貼着）その他の手段により傘布部３に固定して取り付けてある。
【００２０】
実施の形態１の第２及び第３の反射材５及び６は各親骨２１の先端部近くに位置させて取り付けてある。実施の形態１では、図３（ｃ）に詳細に示すように、所望の大きさ及び形状に形成した再帰性反射シート材５１の中心に、各親骨２１の先端に取り付けた露先２２を挿入する挿入孔５２を設け、前記シート材５１の表面側を外側に向けて二つ折りし、二つ折り片の一方で第２の反射材５を、また、他方で第３の反射材６を構成してある。そして、前記孔５２に露先２２を貫通して、前記シート材５１で傘布部３を挟ませて前記シート材５１を縫着、溶着、接着その他前記と同様の取付手段により傘布部３に取り付けてある。
【００２１】
第４の反射材７は所望の巾及び長さの帯状に形成した再帰性反射シート材で構成され、握り部１１の外周面に巻回して接着その他の固定手段により固着して取り付けてある。
【００２２】
図４は第２及び第３の反射材５及び６の他の実施の形態を示すものであって、同図（ａ）は第２の反射材を示す平面図、同図（ｂ）は同図（ａ）のＡ−Ａ線断面図、同図（ｃ）は第３の反射材を示す平面図である。この実施の形態の（実施の形態２）は反射材５及び６の構成に特徴がある。
【００２３】
即ち、実施の形態２の第２の反射材５は所望の大きさ及び形状（図示では略扇形状）に形成した再帰性反射シート材５３で構成されている。また、第３の反射材６も第２の反射材５と同一の大きさ及び形状に形成した再帰性反射シート材６１で構成してある。
そして、前記両シート材５３及び６１の表面側を外側に向け、両シート材５３，６１で傘布部３の親骨２１の先端部近くの部位を挟ませ、縫着、溶着、接着その他前記と同様の取付手段により傘布部３に取り付けてある。他の構成は実施の形態１と同様である。
【００２４】
図５は本考案の傘の他の実施の形態（実施の形態３）を示すものであって、同図（ａ）は傘を開いた状態の平面図、同図（ｂ）は同じく底面図である。この傘において実施の形態１で既に説明した構成と共通する部材等には同一符号を付し、説明を省略する。実施の形態３は第２及び第３の反射材の配置構成に特徴がある。
【００２５】
即ち、実施の形態３は、第２及び第３の反射材５及び６を各親骨２１間における傘布部３の外周縁部に沿わせて取り付けてある。実施の形態３の両反射材５，６は所望の大きさ及び形状（図示では略三ヶ月形）に形成した再帰性反射シート材で構成されている。そして、両シート材の表面側を外側に向け、両シート材を傘布部の外周縁部に沿わせると共に両シート材で傘布部を挟ませ、縫着、溶着、接着その他前記と同様の取付手段により傘布部３に取り付けてある。他の構成は実施の形態１と同様である。
【００２６】
図６は本考案のさらに他の実施の形態（実施の形態４）を示すものであって、同図（ａ）は傘を開いた状態の平面図、同図（ｂ）は同じく底面図である。この傘において、実施の形態１で既に説明した構成と共通する部材等には同一符号を付して説明を省略する。実施の形態４も第２及び第３の反射材の配置構成に特徴がある。
【００２７】
実施の形態４は、第２及び第３の反射材５及び６を各親骨２１間における傘布部３の外周縁部近くに位置させて任意数宛づつ取り付けてある。実施の形態４では２個宛づつ取り付けた例が開示されているが、この数量は任意に増減できる。実施の形態４の両反射材５，６は所望の大きさ及び形状（図示では円形）に形成した再帰性反射シート材で構成されている。そして、両シート材の表面側を外側に向け、両シート材で各親骨２１間における傘布部３の外周縁部近くを挟ませ、縫着、溶着、接着その他前記と同様の取付手段により傘布部３に取り付けてある。他の構成は実施の形態１と同様である。
【００２８】
なお、上記した各実施の形態の第１ないし第４の各反射材４，５，６，７は傘の製造時に取り付けてもよく、或いは、既製（使用中のものも含む）の傘にユーザー等が取り付けることもできる。
また、前記第１ないし第４の反射材４…７のうちの任意の反射材を例えば動物や花その他の任意の形状に形成し、或いは任意の模様等を施すこともできる。さらにまた、任意の反射材で商品名、ブランド名、ロゴ等を形成することもできる。
【００２９】
なお、上記した各実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００３０】
【図１】本考案の傘の一実施の形態を示すものであって、同図（ａ）は傘を開いた状態の側面図、同図（ｂ）は同じく平面図、同図（ｃ）は同じく底面図である。
【図２】同上傘に取り付ける第１の反射材を示す斜視図（ａ）及び前記反射材の取り付け作業工程を示す説明図（ｂ）である。
【図３】同上傘の第２及び第３の反射材の取付部分を拡大して示す説明図（ａ）及び同上反射材を示す説明図（ｂ）である。
【図４】第２及び第３の反射材の他の実施の形態を示すものであって、同図（ａ）は第２の反射材を示す平面図、同図（ｂ）は同図（ａ）のＡ−Ａ線断面図、同図（ｃ）は第３の反射材を示す平面図である。
【図５】本考案の傘の他の実施の形態を示すものであって、同図（ａ）は傘を開いた状態の平面図、同図（ｂ）は同じく底面図である。
【図６】本考案の傘のさらに他の実施の形態を示すものであって、同図（ａ）は傘を開いた状態の平面図、同図（ｂ）は同じく底面図である。
【符号の説明】
【００３１】
１      軸杆
２      傘骨部
３      傘布部
４      第１の反射材
５      第２の反射材
６      第３の反射材
２１    親骨
【図１】
0003114430.tif 000003
【図２】
0003114430.tif 000004
【図３】
0003114430.tif 000005
【図４】
0003114430.tif 000006
【図５】
0003114430.tif 000007
【図６】
0003114430.tif 000008